(57)【要約】【課題】  テロップ画像における色彩情報と透過率情報とをネットワークを介して伝送した場合であっても、テロップ画像を適切に表示させることができる。【解決手段】  テロップ画像送信装置とテロップ画像受信装置とを備えるテロップ画像送受信システムであって、テロップ画像送信装置は、テロップ画像における色彩情報を入力するＯＡフィル信号入力部と、テロップ画像における透過率情報を入力するＯＡキー信号入力部と、色彩情報と透過率情報とを組として格納する対応付格納部と、データを圧縮するデータ圧縮部と、圧縮された色彩情報及び透過率情報を受信装置に送信する送信部とを有し、テロップ画像受信装置は、情報を受信して格納する受信格納部と、データを伸張する処理を行うデータ伸張部と、色彩情報を出力するＯＡフィル信号出力部と、透過率情報を出力するＯＡキー信号出力部とを有するテロップ画像送受信システムを提供する。【選択図】図１
2005072981.tif 000002
【特許請求の範囲】
【請求項１】
テロップ画像を示す情報を送信するテロップ画像送信装置であって、
前記テロップ画像における各画素の色彩情報を示すＯＡフィル信号を伝送する信号線に接続され、複数の前記色彩情報を順次入力するＯＡフィル信号入力部と、
前記テロップ画像と合成される被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、
前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、
前記テロップ画像における複数の画素についての色彩情報及び透過率情報に対して、前記対応付格納部により格納された色彩情報及び透過率情報の組をデータの単位として、データを圧縮する処理を行うデータ圧縮部と、
前記データ圧縮部により圧縮された色彩情報及び透過率情報の組を共通の信号線により受信装置に順次送信する送信部と
を備えるテロップ画像送信装置。
【請求項２】
前記対応付格納部は、前記テロップ画像の各画素について、当該画素の前記透過率情報を、当該画素の前記色彩情報を格納するメモリ中のアドレスに予め定められたオフセット値を加えたアドレスに格納することにより、色彩情報及び透過率情報を組として格納する
請求項１記載のテロップ画像送信装置。
【請求項３】
前記送信部は、同一の画素についての色彩情報及び透過率情報の組を、複数のパケットに跨って伝送しないようにネットワークを介して送信する
請求項２記載のテロップ画像送信装置。
【請求項４】
前記ＯＡキー信号入力部は、各画素についての輝度信号及び色差信号を前記ＯＡキー信号として順次入力し、
前記対応付格納部は、前記ＯＡキー信号入力部により入力された前記ＯＡキー信号のうち、前記輝度信号として入力される前記透過率情報と、前記色彩情報とを組として格納する
請求項１記載のテロップ画像送信装置。
【請求項５】
テロップ画像を示す情報を受信するテロップ画像受信装置であって、
前記テロップ画像を示す情報を順次受信して格納する受信格納部と、
前記受信格納部により格納された情報に対して、データを伸張する処理を行うことにより、前記テロップ画像として表示すべき複数の画素のそれぞれを示す複数の画素情報のそれぞれを生成するデータ伸張部と、
前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、
前記テロップ画像と合成される被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれについて、当該画素に含まれる色彩情報の出力に同期して当該画素に含まれる透過率情報を順次出力するＯＡキー信号出力部と
を備えるテロップ画像受信装置。
【請求項６】
テロップ画像を送信するテロップ画像送信装置と、前記テロップ画像を受信するテロップ画像受信装置とを備えるテロップ画像送受信システムであって、
前記テロップ画像送信装置は、
前記テロップ画像における各画素の色彩情報を示すＯＡフィル信号を伝送する信号線に接続され、複数の前記色彩情報を順次入力するＯＡフィル信号入力部と、
前記テロップ画像と合成される被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、
前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、
前記テロップ画像における複数の画素についての色彩情報及び透過率情報に対して、前記対応付格納部により格納された色彩情報及び透過率情報の組をデータの単位として、データを圧縮する処理を行うデータ圧縮部と、
前記データ圧縮部により圧縮された色彩情報及び透過率情報の組を共通の信号線により受信装置に送信する送信部と
を有し、
前記テロップ画像受信装置は、
前記テロップ画像を示す情報を前記送信部から順次受信して格納する受信格納部と、
前記受信格納部により格納された情報に対して、データを伸張する処理を行うことにより、前記テロップ画像として表示すべき複数の画素のそれぞれを示す複数の画素情報のそれぞれを生成するデータ伸張部と、
前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、
前記被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれについて、当該画素に含まれる色彩情報の出力に同期して当該画素に含まれる複数の透過率情報を順次出力するＯＡキー信号出力部と
を有するテロップ画像送受信システム。
【請求項７】
テロップ画像を示す情報の通信を行うテロップ画像送受信システムにおいて、前記テロップ画像を示す前記情報を、送信するべきデータ形式にエンコードするエンコード装置であって、
前記テロップ画像送受信システムは、テロップ画像を送信するテロップ画像送信装置及びテロップ画像を受信するテロップ画像受信装置を備えており、
前記テロップ画像における各画素の色彩情報を示すＯＡフィル信号を伝送する信号線に接続され、複数の前記色彩情報を順次入力するＯＡフィル信号入力部と、
前記被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、
前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、
前記テロップ画像における複数の画素についての色彩情報及び透過率情報に対して、前記対応付格納部により格納された色彩情報及び透過率情報の組をデータの単位として、データを圧縮する処理を行うデータ圧縮部と
を備えるエンコード装置。
【請求項８】
テロップ画像を示す情報の通信を行うテロップ画像送受信システムにおいて、受信したデータを、前記テロップ画像を示す前記情報にデコードするデコード装置であって、
テロップ画像受信装置から受け取った情報に対して、データを伸張する処理を行うことにより、前記テロップ画像として表示すべき複数の画素のそれぞれを示す複数の画素情報のそれぞれを生成するデータ伸張部と、
前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、
前記テロップ画像と合成される被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれに含まれる複数の透過率情報を順次出力するＯＡキー信号出力部と
を備えるデコード装置。
【発明の詳細な説明】
【技術分野】
【０００１】
本発明は、テロップ画像送信装置、テロップ画像受信装置、テロップ画像送受信システム、エンコード装置、及びデコード装置に関する。特に本発明は、ネットワークを介してテロップ画像を示す情報を伝送するテロップ画像送信装置、テロップ画像受信装置、及びテロップ画像送受信システムと、これらを実現するためのエンコード装置及びデコード装置とに関する。
【背景技術】
【０００２】
従来、放送局等の業務に用いられ、映像及び音声の信号を伝送するインターフェイスとしてＳＤＩ（Ｓｅｒｉａｌ  Ｄｉｇｉｔａｌ  Ｉｎｔｅｒｆａｃｅ）規格（例えばＳＭＰＴＥ２５９Ｍ）が用いられている。この規格において、テロップ画像を示す情報は、合成する画像の色彩情報を示すＯＡフィル信号と、合成画像を透過して被合成画像を表示する透過率情報を含むＯＡキー信号とを含む。従来、色彩情報及び透過率情報は互いに独立した信号線により伝送され、例えばＧｅｎｌｏｃｋ（Ｇｅｎｅｒａｔｏｒ  ｌｏｃｋ）信号を用いてフレーム単位で同期され合成される。
現時点で先行技術文献の存在を認識していないので、先行技術文献に関する記載を省略する。
【発明の開示】
【発明が解決しようとする課題】
【０００３】
しかしながら、従来の技術に係る装置は、テロップ画像における色彩情報及び透過率情報を、例えばパケット転送を行うネットワークの様な遅延量の変動幅の大きい伝送経路を介して伝送した場合に、テロップ画像を適切に表示できない。
【０００４】
そこで本発明は、上記の課題を解決することができるテロップ画像送信装置、テロップ画像受信装置、テロップ画像送受信システム、エンコード装置、及びデコード装置を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、テロップ画像を送信するテロップ画像送信装置と、テロップ画像を受信するテロップ画像受信装置とを備えるテロップ画像送受信システムであって、テロップ画像送信装置は、テロップ画像における各画素の色彩情報を示すＯＡフィル信号を伝送する信号線に接続され、複数の色彩情報を順次入力するＯＡフィル信号入力部と、テロップ画像と合成される被合成画像における画素のそれぞれが、テロップ画像における画素のそれぞれを透過して表示される透過率を示す透過率情報を含むＯＡキー信号を伝送する信号線に接続され、複数の透過率情報を順次入力するＯＡキー信号入力部と、テロップ画像における複数の画素のそれぞれについて、ＯＡフィル信号入力部により入力された画素の色彩情報と、ＯＡキー信号入力部により入力された画素の透過率情報とを組として格納する対応付格納部と、テロップ画像における複数の画素についての色彩情報及び透過率情報に対して、対応付格納部により格納された色彩情報及び透過率情報の組をデータの単位として、データを圧縮する処理を行うデータ圧縮部と、データ圧縮部により圧縮された色彩情報及び透過率情報の組を共通の信号線により受信装置に送信する送信部とを有し、テロップ画像受信装置は、テロップ画像を示す情報を送信部から順次受信して格納する受信格納部と、受信格納部により格納された情報に対して、データを伸張する処理を行うことにより、テロップ画像として表示すべき複数の画素のそれぞれを示す複数の画素情報のそれぞれを生成するデータ伸張部と、テロップ画像の各画素についての色彩情報を示すＯＡフィル信号を伝送する信号線に接続され、生成された複数の画素情報のそれぞれに含まれる色彩情報を順次出力するＯＡフィル信号出力部と、被合成画像における画素のそれぞれが、テロップ画像における画素のそれぞれを透過して表示される透過率を示す透過率情報を含むＯＡキー信号を伝送する信号線に接続され、生成された複数の画素情報のそれぞれについて、当該画素に含まれる色彩情報の出力に同期して当該画素に含まれる複数の透過率情報を順次出力するＯＡキー信号出力部とを有するテロップ画像送受信システムを提供する。
【０００６】
なお、上記の発明の概要は、本発明の必要な特徴の全てを列挙したものではなく、これらの特徴群のサブコンビネーションもまた、発明となりうる。
【発明の効果】
【０００７】
本発明によれば、テロップ画像における色彩情報と透過率情報とをネットワークを介して伝送した場合であっても、テロップ画像を適切に表示させることができる。
【発明を実施するための最良の形態】
【０００８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【０００９】
図１は、テロップ画像を示す情報であるテロップ画像情報の通信を行うテロップ画像送受信システム１０のブロック図を示す。テロップ画像送受信システム１０は、テロップ画像情報を送信するテロップ画像送信装置２０と、テロップ画像送信装置２０とネットワークを介して接続され、テロップ画像情報を受信するテロップ画像受信装置３０とを備える。
【００１０】
テロップ画像送信装置２０は、テロップ画像における各画素の色彩情報と、テロップ画像と合成される被合成画像における画素のそれぞれが、テロップ画像における画素のそれぞれを透過して表示される透過率を示す透過率情報とを、互いに独立したＯＡフィル信号線とＯＡキー信号線とから入力し、ネットワークを介して、共通の信号線によりテロップ画像受信装置３０に送信する。テロップ画像受信装置３０は、テロップ画像情報をテロップ画像送信装置２０から受信し、テロップ画像における色彩情報と透過率情報とを互いに独立したＯＡフィル信号線とＯＡキー信号線に出力する。
本実施形態に係るテロップ画像送受信システム１０は、入力した色彩情報と透過率情報とを、例えばパケット転送を行うネットワークを介して送信し、受信側で同期して出力することにより、テロップ画像を適切に表示させることを目的とする。
【００１１】
テロップ画像送信装置２０は、エンコード装置２５と、送信部２８とを有する。エンコード装置２５は、ＯＡフィル信号入力部２００と、ＯＡキー信号入力部２１０と、対応付格納部２２０と、メモリ２３０と、データ圧縮部２４０とを含み、テロップ画像情報をテロップ画像受信装置３０に送信するべきデータ形式にエンコードする。エンコード装置２５は、例えば、テロップ画像送信装置２０に挿入された、ＰＣＩ（Ｐｅｒｉｐｈｅｒａｌ  Ｃｏｍｐｏｎｅｎｔ  Ｉｎｔｅｒｃｏｎｎｅｃｔ）等のバス規格に基づく拡張カードであってもよい。
【００１２】
ＯＡフィル信号入力部２００は、テロップ画像における各画素の色彩情報を示すＯＡフィル信号を伝送するＯＡフィル信号線に接続され、複数の色彩情報を順次入力する。ＯＡキー信号入力部２１０は、テロップ画像と合成される被合成画像における画素のそれぞれが、テロップ画像における画素のそれぞれを透過して表示される透過率を示す透過率情報を含むＯＡキー信号を伝送するＯＡキー信号線に接続され、複数の透過率情報を順次入力する。
【００１３】
対応付格納部２２０は、テロップ画像における複数の画素のそれぞれについて、ＯＡフィル信号入力部２００に入力された画素の色彩情報と、ＯＡキー信号入力部２１０に入力された画素の透過率情報とを対応付けた組として、メモリ２３０に格納する。対応付格納部２２０は、テロップ画像におけるフレーム単位で予め同期された色彩情報と透過率情報とを、画素単位で対応付ける。これに代えて、対応付格納部２２０は、色彩情報と透過率情報とを、Ｇｅｎｌｏｃｋ信号に基づいてテロップ画像におけるフレーム単位で同期させた後、画素単位で対応付けてもよい。
【００１４】
データ圧縮部２４０は、メモリ２３０に格納されているテロップ画像における複数の画素についての色彩情報及び透過率情報に対して、色彩情報及び透過率情報の組をデータの単位としてデータを圧縮する処理を行う。具体的には、データ圧縮部２４０は、ＭＰＥＧ、ＭｏｔｉｏｎＪＰＥＧ、及びバイナリ圧縮等の圧縮処理を行ってもよい。データ圧縮部２４０は、圧縮した色彩情報及び透過率情報の組をメモリ２３０に格納する。
【００１５】
送信部２８は、データ圧縮部２４０により圧縮されてメモリ２３０に格納された色彩情報及び透過率情報の組を、例えばＧｉｇａｂｉｔＥｔｈｅｒｎｅｔによるネットワークを介して、共通の信号線によりテロップ画像受信装置３０に送信する。また、送信部２８は、データ圧縮部２４０により圧縮された色彩情報及び透過率情報の組をテロップ画像受信装置３０において伸張した場合に、色彩情報及び透過率情報を同一のパケットから取得できる様、同一の画素についての色彩情報及び透過率情報の組を、複数のパケットに跨って伝送しないようにネットワークを介して送信する。
【００１６】
テロップ画像受信装置３０は、受信格納部３２と、デコード装置３５とを有する。受信格納部３２は、テロップ画像情報を送信部２８から順次受信して、デコード装置３５に格納する。デコード装置３５は、メモリ３００と、データ伸張部３１０と、ＯＡフィル信号出力部３２０と、ＯＡキー信号出力部３３０とを含み、テロップ画像送受信システム１０において、受信したデータをテロップ画像情報にデコードする。デコード装置３５は、例えば、テロップ画像受信装置３０に挿入された、ＰＣＩ等のバス規格に基づく拡張カードであってもよい。メモリ３００は、テロップ画像情報を受信格納部３２から受け取って格納する。データ伸張部３１０は、受信格納部３２によりメモリ３００に格納されたテロップ画像情報に対してデータを伸張する処理を行うことにより、テロップ画像として表示すべき複数の画素のそれぞれを示す複数の画素情報のそれぞれを生成し、メモリ３００に格納する。
【００１７】
ＯＡフィル信号出力部３２０は、テロップ画像の各画素についての色彩情報を示すＯＡフィル信号を伝送するＯＡフィル信号線に接続される。ＯＡフィル信号出力部３２０は、データ伸張部３１０により生成され、メモリ３００に格納された複数の画素情報のそれぞれに含まれる色彩情報を、テロップ画像受信装置３０に接続されたＯＡフィル信号線を介して順次出力する。ＯＡフィル信号出力部３２０は、例えば、テロップ画像をフレーム単位でＧｅｎｌｏｃｋ信号と同期させながら、色彩情報を出力してもよい。
【００１８】
ＯＡキー信号出力部３３０は、テロップ画像と合成される被合成画像における画素のそれぞれが、テロップ画像における画素のそれぞれを透過して表示される透過率を示す透過率情報を含むＯＡキー信号を伝送するＯＡキー信号線に接続される。ＯＡキー信号出力部３３０は、データ伸張部３１０により生成されメモリ３００に格納された複数の画素情報のそれぞれについて、画素に含まれる色彩情報のＯＡフィル信号出力部３２０における出力に同期して、画素に含まれる透過率情報を、テロップ画像受信装置３０に接続されたＯＡキー信号線を介して順次出力する。ＯＡキー信号出力部３３０は、例えば、テロップ画像をフレーム単位でＧｅｎｌｏｃｋ信号と同期させながら、透過率情報を出力してもよい。
【００１９】
以上により、テロップ画像送受信システム１０は、互いに異なる信号線により入力されたＯＡフィル信号とＯＡキー信号とを、例えばパケット転送を行うネットワークを介して送信し、画素単位で同期したＯＡフィル信号とＯＡキー信号として出力することができる。これにより、テロップ画像を生成する装置とテロップ画像を被合成画像に合成する装置とがネットワークにより接続されている場合であっても、テロップ画像情報を正確に送信できる。
また、テロップ画像送受信システム１０は、テロップ画像情報を圧縮して高速に送信することができる。これにより、テロップ画像を生成する装置とテロップ画像を被合成画像に合成する装置とがネットワークにより接続されている場合であっても、リアルタイムでテロップ画像の合成処理を行うことができる。
【００２０】
図２は、色彩情報５００及び透過率情報５１０を、ＯＡフィル信号入力部２００、ＯＡキー信号入力部２１０、及び対応付格納部２２０により組情報５２０として格納する方法の一例を示す。
ＯＡフィル信号入力部２００は、テロップ画像における各画素についての輝度成分である輝度信号及び色差成分である色差信号をＯＡフィル信号として順次入力する。ＯＡフィル信号入力部２００は、入力したＯＡフィル信号のデータに対して、例えば色彩情報における各成分のデータサイズである１０ｂｉｔ単位でデータを取り出すシリアル−パラレル変換を行って、色彩情報５００を生成する。ＯＡフィル信号入力部２００は、圧縮等の処理を高速に実行するべく、色彩情報５００における各成分のデータサイズを、例えば１０ｂｉｔから８ｂｉｔ等に縮減してもよい。また、色彩情報５００は、連続する２画素における共通の色差成分であるＣｂ０及びＣｒ０と、これらの画素毎の輝度成分であるＹ０及びＹ１とを含む。
【００２１】
ＯＡキー信号入力部２１０は、テロップ画像における各画素についての輝度信号及び色差信号をＯＡキー信号として順次入力する。ＯＡキー信号入力部２１０は、入力したＯＡキー信号のデータに対して、例えば透過率情報における各成分のデータサイズである１０ｂｉｔ単位でデータを取り出すシリアル−パラレル変換を行って、透過率情報５１０を生成する。ＯＡキー信号入力部２１０は、圧縮等の処理を高速に実行するべく、透過率情報５１０における各成分のデータサイズを、例えば１０ｂｉｔから８ｂｉｔ等に縮減してもよい。
透過率情報５１０は、連続する２画素における共通の色差成分であるＣｂ０及びＣｒ０と、これらの画素毎の輝度成分であるＹ０及びＹ１とを含む。但し、ＯＡキー信号入力部２１０は、透過率情報５１０として、色差成分Ｃｂ０及びＣｒ０を使用せず（Ｎｏｎｅ）、輝度成分Ｙ０及びＹ１が示す透過率Ｋ０及びＫ１のみを使用する。
【００２２】
対応付格納部２２０は、ＯＡキー信号入力部２１０により入力されたＯＡキー信号のうち、輝度信号として入力される透過率情報５１０と、ＯＡフィル信号入力部２００により入力されたＯＡフィル信号が示す色彩情報５００とを、色彩情報と透過率情報との組からなる組情報５２０としてメモリ２３０に格納する。本実施形態において、対応付格納部２２０は、透過率情報５１０のうち輝度信号であるＫ０及びＫ１と色彩情報５００とを組情報５２０としてメモリ２３０に格納する。より具体的には、対応付格納部２２０は、Ｋ０及びＫ１のそれぞれを上位部分と下位部分に分割し、Ｋ０の下位部分（Ｋ０Ｌ）をＣｂ０に、Ｋ０の上位部分（Ｋ０Ｈ）をＹ０に、Ｋ１の下位部分（Ｋ１Ｌ）をＣｒ０に、及びＫ１の上位部分（Ｋ１Ｈ）をＹ１に対応付けることにより、色彩情報５００と透過率情報５１０とを組情報５２０として、メモリ２３０に格納する。ここで、対応付格納部２２０は、テロップ画像の各画素について、画素の色彩情報５００を格納するメモリ中のアドレスに予め定められたオフセット値を加えたアドレスに、画素の透過率情報５１０を格納することにより、色彩情報５００及び透過率情報５１０を組情報５２０としてメモリ２３０に格納する。例えば、対応付格納部２２０は、メモリ２３０においてＣｂ０を格納するメモリ中のアドレスに予め定められたオフセット値を加えたアドレスにＫ０Ｌを格納することにより、Ｃｂ０とＫ０Ｌとを組として格納する。
【００２３】
なお、本図に示した構成は一例であり、本図の構成に多様な変更を加えてもよい。例えば、色彩情報５００及び透過率情報５１０は、１画素分の情報のみを含んでいてもよい。また、例えば、ＯＡキー信号入力部２１０は、透過率情報５１０として、輝度成分に加えて色差成分を使用してもよい。この場合、対応付格納部２２０は、色彩情報５００と透過率情報５１０との各成分を対応付けて組情報５２０とし、メモリ２３０に格納する。
【００２４】
以上により、テロップ画像送受信システム１０は、入力したＯＡフィル信号が示す色彩情報５００と、入力したＯＡキー信号が含む透過率情報５１０とを、画素単位で対応付けることができる。これにより、テロップ画像送受信システム１０は、ＯＡフィル信号とＯＡキー信号とを画素単位で正確に同期させることができる。
【００２５】
図３は、本発明の実施形態に係るテロップ画像送信装置２０のハードウェア構成の一例を示す。テロップ画像送信装置２０は、ホストコントローラ１０８２により相互に接続されるＣＰＵ１０００、ＲＡＭ１０２０、グラフィックコントローラ１０７５、及び表示装置１０８０を有するＣＰＵ周辺部と、入出力コントローラ１０８４によりホストコントローラ１０８２に接続される通信インターフェイス１０３０、ハードディスクドライブ１０４０、及びＣＤ−ＲＯＭドライブ１０６０を有する入出力部と、入出力コントローラ１０８４に接続されるＲＯＭ１０１０、フレキシブルディスクドライブ１０５０、及び入出力チップ１０７０を有するレガシー入出力部とを備える。
【００２６】
ホストコントローラ１０８２は、ＲＡＭ１０２０と、高い転送レートでＲＡＭ１０２０をアクセスするＣＰＵ１０００及びグラフィックコントローラ１０７５とを接続する。ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレームバッファ上に生成する画像データを取得し、表示装置１０８０上に表示させる。これに代えて、グラフィックコントローラ１０７５は、ＣＰＵ１０００等が生成する画像データを格納するフレームバッファを、内部に含んでもよい。
【００２７】
入出力コントローラ１０８４は、ホストコントローラ１０８２と、比較的高速な入出力装置である通信インターフェイス１０３０、ハードディスクドライブ１０４０、及びＣＤ−ＲＯＭドライブ１０６０を接続する。通信インターフェイス１０３０は、ネットワークを介して外部の装置、例えばテロップ画像受信装置３０と接続する。通信インターフェイス１０３０は、他のネットワークを介してＯＡフィル信号及びＯＡキー信号を入力してもよい。ハードディスクドライブ１０４０は、テロップ画像送信装置２０が使用するプログラム及びデータを格納する。ＣＤ−ＲＯＭドライブ１０６０は、ＣＤ−ＲＯＭ１０９５からプログラム又はデータを読みとり、ＲＡＭ１０２０を介して入出力チップ１０７０に提供する。
【００２８】
また、入出力コントローラ１０８４には、ＲＯＭ１０１０と、フレキシブルディスクドライブ１０５０や入出力チップ１０７０等の比較的低速な入出力装置とが接続される。ＲＯＭ１０１０は、テロップ画像送信装置２０の起動時にＣＰＵ１０００が実行するブートプログラムや、テロップ画像送信装置２０のハードウェアに依存するプログラム等を格納する。フレキシブルディスクドライブ１０５０は、フレキシブルディスク１０９０からプログラム又はデータを読み取り、ＲＡＭ１０２０を介して入出力チップ１０７０に提供する。入出力チップ１０７０は、フレキシブルディスク１０９０や、例えばパラレルポート、シリアルポート、キーボードポート、マウスポート等を介して各種の入出力装置を接続する。
【００２９】
テロップ画像送信装置２０に提供されるプログラムは、フレキシブルディスク１０９０、ＣＤ−ＲＯＭ１０９５、又はＩＣカード等の記録媒体に格納されて利用者によって提供される。プログラムは、入出力チップ１０７０及び／又は入出力コントローラ１０８４を介して、記録媒体から読み出される。
テロップ画像送信装置２０に提供されるプログラムは、対応付格納モジュール及びデータ圧縮モジュールを含んでいてもよい。この場合、対応付格納モジュール及びデータ圧縮モジュールは、テロップ画像送信装置２０を対応付格納部２２０及びデータ圧縮部２４０として動作させる。
また、テロップ画像送信装置２０は、読み出されたプログラムを、ネットワークを介してテロップ画像受信装置３０に提供してもよい。テロップ画像受信装置３０に提供されるプログラムは、データ伸張モジュールを含んでいてもよい。この場合、データ伸張モジュールは、テロップ画像受信装置３０をデータ伸張部３１０として動作させる。
【００３０】
以上に示したプログラムは、外部の記憶媒体に格納されてもよい。記憶媒体としては、フレキシブルディスク１０９０、ＣＤ−ＲＯＭ１０９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをテロップ画像送信装置２０に提供してもよい。
【００３１】
以上に示した様に、テロップ画像送受信システム１０は、互いに異なる信号線により入力されたＯＡフィル信号とＯＡキー信号とを、例えばパケット転送を行うネットワークを介して送信し、画素単位で同期したＯＡフィル信号とＯＡキー信号として出力することができる。これにより、テロップ画像を生成する装置とテロップ画像を被合成画像に合成する装置とがネットワークにより接続されている場合であっても、テロップ画像情報を正確に同期させて伝送できる。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３３】
以上に説明した実施形態によれば、以下の各項目に示すテロップ画像送信装置、テロップ画像受信装置、テロップ画像送受信システム、エンコード装置、及びデコード装置が実現される。
【００３４】
（項目１）  テロップ画像を示す情報を送信するテロップ画像送信装置であって、前記テロップ画像における各画素の色彩情報を示すＯＡフィル信号を伝送する信号線に接続され、複数の前記色彩情報を順次入力するＯＡフィル信号入力部と、前記テロップ画像と合成される被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、前記テロップ画像における複数の画素についての色彩情報及び透過率情報に対して、前記対応付格納部により格納された色彩情報及び透過率情報の組をデータの単位として、データを圧縮する処理を行うデータ圧縮部と、前記データ圧縮部により圧縮された色彩情報及び透過率情報の組を共通の信号線により受信装置に順次送信する送信部とを備えるテロップ画像送信装置。
【００３５】
（項目２）  前記対応付格納部は、前記テロップ画像の各画素について、当該画素の前記透過率情報を、当該画素の前記色彩情報を格納するメモリ中のアドレスに予め定められたオフセット値を加えたアドレスに格納することにより、色彩情報及び透過率情報を組として格納する項目１記載のテロップ画像送信装置。
（項目３）  前記送信部は、同一の画素についての色彩情報及び透過率情報の組を、複数のパケットに跨って伝送しないようにネットワークを介して送信する項目２記載のテロップ画像送信装置。
（項目４）  前記ＯＡキー信号入力部は、各画素についての輝度信号及び色差信号を前記ＯＡキー信号として順次入力し、前記対応付格納部は、前記ＯＡキー信号入力部により入力された前記ＯＡキー信号のうち、前記輝度信号として入力される前記透過率情報と、前記色彩情報とを組として格納する項目１記載のテロップ画像送信装置。
【００３６】
（項目５）  テロップ画像を示す情報を受信するテロップ画像受信装置であって、前記テロップ画像を示す情報を順次受信して格納する受信格納部と、前記受信格納部により格納された情報に対して、データを伸張する処理を行うことにより、前記テロップ画像として表示すべき複数の画素のそれぞれを示す複数の画素情報のそれぞれを生成するデータ伸張部と、前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、前記テロップ画像と合成される被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれについて、当該画素に含まれる色彩情報の出力に同期して当該画素に含まれる透過率情報を順次出力するＯＡキー信号出力部とを備えるテロップ画像受信装置。
【００３７】
（項目６）  テロップ画像を送信するテロップ画像送信装置と、前記テロップ画像を受信するテロップ画像受信装置とを備えるテロップ画像送受信システムであって、前記テロップ画像送信装置は、前記テロップ画像における各画素の色彩情報を示すＯＡフィル信号を伝送する信号線に接続され、複数の前記色彩情報を順次入力するＯＡフィル信号入力部と、前記テロップ画像と合成される被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、前記テロップ画像における複数の画素についての色彩情報及び透過率情報に対して、前記対応付格納部により格納された色彩情報及び透過率情報の組をデータの単位として、データを圧縮する処理を行うデータ圧縮部と、前記データ圧縮部により圧縮された色彩情報及び透過率情報の組を共通の信号線により受信装置に送信する送信部とを有し、前記テロップ画像受信装置は、前記テロップ画像を示す情報を前記送信部から順次受信して格納する受信格納部と、前記受信格納部により格納された情報に対して、データを伸張する処理を行うことにより、前記テロップ画像として表示すべき複数の画素のそれぞれを示す複数の画素情報のそれぞれを生成するデータ伸張部と、前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、前記被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれについて、当該画素に含まれる色彩情報の出力に同期して当該画素に含まれる複数の透過率情報を順次出力するＯＡキー信号出力部とを有するテロップ画像送受信システム。
【００３８】
（項目７）  テロップ画像を示す情報の通信を行うテロップ画像送受信システムにおいて、前記テロップ画像を示す前記情報を、送信するべきデータ形式にエンコードするエンコード装置であって、前記テロップシステムは、テロップ画像を送信するテロップ画像送信装置及びテロップ画像を受信するテロップ画像受信装置を備えており、前記テロップ画像における各画素の色彩情報を示すＯＡフィル信号を伝送する信号線に接続され、複数の前記色彩情報を順次入力するＯＡフィル信号入力部と、前記被合成画像における画素のそれぞれが、前記テロップ画像における画素のそれぞれを透過して表示される透過率を示す透過率情報を含むＯＡキー信号を伝送する信号線に接続され、複数の前記透過率情報を順次入力するＯＡキー信号入力部と、前記テロップ画像における複数の画素のそれぞれについて、前記ＯＡフィル信号入力部により入力された当該画素の色彩情報と、前記ＯＡキー信号入力部により入力された当該画素の透過率情報とを組として格納する対応付格納部と、前記テロップ画像における複数の画素についての色彩情報及び透過率情報に対して、前記対応付格納部により格納された色彩情報及び透過率情報の組をデータの単位として、データを圧縮する処理を行うデータ圧縮部とを備えるエンコード装置。
【００３９】
（項目８）  テロップ画像を示す情報の通信を行うテロップ画像送受信システムにおいて、受信したデータを、前記テロップ画像を示す前記情報にデコードするデコード装置であって、テロップ画像受信装置から受け取った情報に対して、データを伸張する処理を行うことにより、前記テロップ画像として表示すべき複数の画素のそれぞれを示す複数の画素情報のそれぞれを生成するデータ伸張部と、前記テロップ画像の各画素についての色彩情報を示すＯＡフィル信号を伝送する信号線に接続され、生成された前記複数の画素情報のそれぞれに含まれる色彩情報を順次出力するＯＡフィル信号出力部と、前記テロップ画像と合成される被合成画像における画素のそれぞれが、前記テロップ画像における画素のそれぞれを透過して表示される透過率を示す透過率情報を含むＯＡキー信号を伝送する信号線に接続され、生成された前記複数の画素情報のそれぞれに含まれる複数の透過率情報を順次出力するＯＡキー信号出力部とを備えるデコード装置。
【図面の簡単な説明】
【００４０】
【図１】テロップ画像を示す情報であるテロップ画像情報の通信を行うテロップ画像送受信システム１０のブロック図を示す。
【図２】色彩情報５００及び透過率情報５１０を、ＯＡフィル信号入力部２００、ＯＡキー信号入力部２１０、及び対応付格納部２２０により組情報５２０として格納する方法の一例を示す図である。
【図３】本発明の実施形態に係るテロップ画像送信装置２０のハードウェア構成の一例を示す図である。
【符号の説明】
【００４１】
１０  テロップ画像送受信システム
２０  テロップ画像送信装置
２５  エンコード装置
２８  送信部
３０  テロップ画像受信装置
３２  受信格納部
３５  デコード装置
２００  ＯＡフィル信号入力部
２１０  ＯＡキー信号入力部
２２０  対応付格納部
２３０  メモリ
２４０  データ圧縮部
３００  メモリ
３１０  データ伸張部
３２０  ＯＡフィル信号出力部
３３０  ＯＡキー信号出力部
５００  色彩情報
５１０  透過率情報
５２０  組情報
【図１】
2005072981.tif 000003
【図２】
2005072981.tif 000004
【図３】
2005072981.tif 000005